(57)【要約】【課題】  従来、上側鉛直部材の下端側にスリーブを設ける必要があり、部品コスト等の点で経済的に不利であるなどの課題があった。【解決手段】  本発明は、上端側に上端面５より上方に突出する鉄筋６を備えて下に配置されるプレキャストコンクリート製の下側鉛直部材１と、下端側に下端面９より下方に突出する鉄筋１０を備えて下側鉛直部材１の上に配置されるプレキャストコンクリート製の上側鉛直部材２とを上下に接合する鉛直部材の接合方法において、下側鉛直部材１の上端面５と上側鉛直部材２の下端面９とを対向させて下側鉛直部材１の上端面５と下側鉛直部材２の下端面９との間に上記鉄筋６；１０を位置させたコンクリート形成空間（床スラブコンクリート形成空間）を形成した後、当該コンクリート形成空間にコンクリートを流し込んで下側鉛直部材１と上側鉛直部材２とを接合した。【選択図】        図１
2006070499.tif 000002
【特許請求の範囲】
【請求項１】
上端側に上端面より上方に突出する鉄筋を備えて下に配置されるプレキャストコンクリート製の下側鉛直部材と、下端側に下端面より下方に突出する鉄筋を備えて下側鉛直部材の上に配置されるプレキャストコンクリート製の上側鉛直部材とを上下に接合する鉛直部材の接合方法において、下側鉛直部材の上端面と上側鉛直部材の下端面とを対向させて下側鉛直部材の上端面と下側鉛直部材の下端面との間に上記鉄筋を位置させたコンクリート形成空間を形成した後、当該コンクリート形成空間にコンクリートを流し込んで下側鉛直部材と上側鉛直部材とを接合したことを特徴とする鉛直部材の接合方法。
【請求項２】
上端側に上端面より上方に突出する鉄筋を備えて下に配置されたプレキャストコンクリート製の下側鉛直部材と、下端側に下端面より下方に突出する鉄筋を備えて下側鉛直部材の上に配置されたプレキャストコンクリート製の上側鉛直部材と、対向した下側鉛直部材の上端面と上側鉛直部材の下端面とを上記鉄筋とともに接合した接合コンクリートとを備えたことを特徴とする鉛直部材の接合構造。
【請求項３】
上側鉛直部材の下端面より突出する鉄筋が、下側鉛直部材の上端面に支持されて上側鉛直部材を垂直状態に支持可能な形態に形成されたことを特徴とする請求項２に記載の鉛直部材の接合構造。
【請求項４】
接合コンクリートが床スラブコンクリートであることを特徴とする請求項２に記載の鉛直部材の接合構造。
【発明の詳細な説明】
【技術分野】
【０００１】
本発明は建物を構成する上下の鉛直部材の接合方法などに関する。
【背景技術】
【０００２】
壁材として使用されるプレキャストコンクリート製の鉛直部材で建物の壁を構築する場合において、例えば基礎上に建て込まれた下側鉛直部材の上端面と上側鉛直部材の下端面とを接合していく。この場合、下側鉛直部材の上端面より鉄筋を突出させておき、上側鉛直部材の下端面より内部に窪んで形成された凹部内にスリーブ（筒状体）を設けておく。尚、上側壁材の内部に設けられた内部鉄筋を凹部内に突出させておき、この凹部内にスリーブを設ける際に内部鉄筋をスリーブの筒状体の内側に位置させておく。そして、下側鉛直部材の上端面と上側鉛直部材の下端面とを対向させ、下側鉛直部材の上端面より突出する鉄筋を上側鉛直部材の下端面に設けたスリーブ内に挿入し、かつ、下側鉛直部材の上端と上側鉛直部材の下端との間にスペーサや敷きモルタル等の水平レベル調整材を設けて上側壁材の水平レベルを調整する。その後、上側鉛直部材の壁面とスリーブ内とを繋ぐ打設口を介してスリーブ内にモルタルを充填してモルタルを固化させ、固化したモルタルにより鉄筋同士を接合することで、下側鉛直部材と上側鉛直部材とを接合する方法が知られている（例えば、特許文献１参照）。
【特許文献１】特開昭５６−２０２４８号公報
【発明の開示】
【発明が解決しようとする課題】
【０００３】
特許文献１の鉛直部材の接合方法では、上側鉛直部材の下端側にスリーブを設ける必要があり、部品コスト等の点で経済的に不利であるとともに、上側鉛直部材と下側鉛直部材との接合もスリーブを介してのみとなり、鉛直部材同士の一体性についても問題を生じる場合がある。
【課題を解決するための手段】
【０００４】
本発明は、上端側に上端面より上方に突出する鉄筋を備えて下に配置されるプレキャストコンクリート製の下側鉛直部材と、下端側に下端面より下方に突出する鉄筋を備えて下側鉛直部材の上に配置されるプレキャストコンクリート製の上側鉛直部材とを上下に接合する鉛直部材の接合方法において、下側鉛直部材の上端面と上側鉛直部材の下端面とを対向させて下側鉛直部材の上端面と下側鉛直部材の下端面との間に上記鉄筋を位置させたコンクリート形成空間を形成した後、当該コンクリート形成空間にコンクリートを流し込んで下側鉛直部材と上側鉛直部材とを接合したことを特徴とする。
本発明の鉛直部材の接合構造は、上端側に上端面より上方に突出する鉄筋を備えて下に配置されたプレキャストコンクリート製の下側鉛直部材と、下端側に下端面より下方に突出する鉄筋を備えて下側鉛直部材の上に配置されたプレキャストコンクリート製の上側鉛直部材と、対向した下側鉛直部材の上端面と上側鉛直部材の下端面とを上記鉄筋とともに接合した接合コンクリートとを備えたことを特徴とする。
また、上側鉛直部材の下端面より突出する鉄筋が、下側鉛直部材の上端面に支持されて上側鉛直部材を垂直状態に支持可能な形態に形成された。
また、接合コンクリートが床スラブコンクリートであることを特徴とする。
【発明の効果】
【０００５】
本発明による鉛直部材の接合方法によれば、下側鉛直部材と上側鉛直部材との接合をスリーブを用いることなく実現でき、部品コスト等の面で経済的に有利となる。
本発明による鉛直部材の接合構造によれば、経済的に有利で、かつ、対向した下側鉛直部材の上端面と上側鉛直部材の下端面とを鉄筋とともに接合した接合コンクリートにより、下側鉛直部材と上側鉛直部材との接合強度を高くできるため、鉛直部材同士の一体性を容易に高めることができる。
また、上側鉛直部材の下端面より突出する鉄筋が、下側鉛直部材の上端面に支持されて上側鉛直部材を垂直状態に支持可能な形態に形成されたことで、スリーブを用いない構成においても上側鉛直部材を垂直状態に自立させやすくなるとともに、上側鉛直部材の下端面より突出する鉄筋と下側鉛直部材の上端面より突出する鉄筋とを上下方向で重ならせることができ、下側鉛直部材と上側鉛直部材との接合強度を高くできる。
また、接合コンクリートが床スラブコンクリートであれば、もともと床スラブの施工時に打ち込むコンクリートを流用できるので、特に改めてコンクリートを打設する必要がなく、容易に一体性の高い接合ができる。更に、面積の広い床スラブコンクリートで下側鉛直部材と上側鉛直部材とを接合できるので、下側鉛直部材と上側鉛直部材との接合強度を高くできる。
【発明を実施するための最良の形態】
【０００６】
図１は鉛直部材の接合構造の断面を示し、図２は接合構造を形成する構成要素を分解して示し、図３は鉛直部材の接合方法を示す。
【０００７】
図１，２において、１はプレキャストコンクリート製の下側鉛直部材、２はプレキャストコンクリート製の上側鉛直部材である。下側鉛直部材１は、例えば建物の１階部分の壁部３と梁部４とを構成する断面Ｔ字形状に形成され、上端面５より上方に突出する鉄筋６を備える。上側鉛直部材２は下側鉛直部材１と同様に、例えば建物の２階部分の壁部７と梁部８とを構成する断面Ｔ字形状に形成され、下端面９より下方に突出する鉄筋１０を備える。鉄筋６は、例えば梁部４の延長する方向に沿って所定の間隔毎に設けられた複数の四角形リング状の梁肋筋１１における両側辺部１２；１２の上端部１３；１３と、両側辺部１２；１２の上端１４を橋絡する上辺部１５とで形成される。これら複数の四角形リング状の梁肋筋１１の４つの角部１６は梁主筋１７で接続される。鉄筋１０は、上側鉛直部材２の壁面７ａに沿う方向において所定の間隔毎に設けられて上側鉛直部材２の下端面９より突出する複数の鉄筋であり、例えば、図１に示すように、壁部７の両側の壁面７ａ；７ａ側の下端面９より突出する脚部１８；１８とこれら脚部１８；１８の下端を橋絡する下辺部１９とにより形成される。
【０００８】
本形態の接合構造は、図１に示すように、下側鉛直部材１と、上側鉛直部材２と、対向した下側鉛直部材１の上端面５と上側鉛直部材２の下端面９とを上記鉄筋６；１０を含めて接合した接合コンクリートとしての床スラブコンクリート１００とを備えて構成される。この床スラブコンクリート１００は後述する床スラブコンクリート形成空間５４に生コンクリートを流し込んで形成する。
【０００９】
下側鉛直部材１の下端側には下端面２０より窪んで形成された複数の凹部２１とこの複数の凹部２１内にそれぞれ設けられたスリーブ（筒体）２２とを備える。凹部２１は、例えば壁部３の壁面３ａに沿った方向においては所定の間隔毎に複数設けられているとともに、壁面３ａと直交する方向（壁部３の幅方向）においては２つ並んで設けられている。下側鉛直部材１の内部に設けられた体操の鉄棒のような形状の内部鉄筋２３の下端２４側は凹部２１内に突出させておき、スリーブ２２の上端に設けた鉄筋通孔２５を通して内部鉄筋２３の下端２４側をスリーブ２２の内側に位置させてからスリーブ２２を凹部２１内に固定する。また、上側鉛直部材２の上端側は下側鉛直部材１の上端側と同じ構成を備える。
【００１０】
本形態の鉛直部材の接合構造の形成方法、すなわち、鉛直部材の接合方法を説明する。まず、基礎３０及び基礎フーチング３１を形成する。基礎３０には、下側鉛直部材１の下端面２０に開口するスリーブ２２内に挿入するための鉄筋４０を、下側鉛直部材１を建込む位置において基礎フーチング３１の上面３２より上方に一直線状に突出させて設けておく。鉄筋４０には、例えば硬質ゴム等で形成されたスペーサとしてのリング材４１及び金属等で形成されたワッシャ４２を予め挿着しておく。また、基礎フーチング３１の上面３２には下側鉛直部材１の水平レベルを調整するためのレベル調整材としてのレベルライナー４３を敷いておく。そして、下側鉛直部材１を鉄筋４０；４０の真上まで移動し、下端面２０のスリーブ２２の開口部２６からスリーブ２２内に鉄筋４０の上端側から挿入して下端面２０をワッシャ４２の上面及びレベルライナー４３の上面に接触させ、かつ、後述するサポート技術等で下側鉛直部材１が転倒しないように自立させた状態において、下側鉛直部材１の壁面３ａとスリーブ２２内とを連通する打設口４４を介して外部からスリーブ２２内にモルタルを充填し、このモルタルを固化させたモルタル５０で鉄筋２３と鉄筋４０とを接合することによって、下側鉛直部材１を基礎フーチング３１上に建て込む。
【００１１】
下側鉛直部材１の建て込み作業が終了したら、図３に示すように、２階の床スラブコンクリート形成用の型枠５１、型枠支持部材５２、型枠縁固定具５３等を用いて床スラブコンクリート形成空間５４を構築してから、クレーンなどで上側鉛直部材２を吊り上げて下側鉛直部材１の上方に移動し、上側鉛直部材２の下端面９より突出する鉄筋１０を下側鉛直部材１の上端面５に載せる。この際、下側鉛直部材１の上端面５に予め上側鉛直部材２用の水平レベル調整部材５５を敷いておく。尚、下側鉛直部材１の上端面５と上側鉛直部材２の下端面９とを接合する位置で対向させた場合に、鉄筋６と鉄筋１０とは干渉しない位置に配置されるように鉄筋６を設ける位置と鉄筋１０を設ける位置とが下側鉛直部材１と上側鉛直部材２とで決められている。そして、上側鉛直部材２をクレーンなどで補助的に吊り下げられている状態で上側鉛直部材２の両壁面７ａ；７ａ側をサポート材６０；６０で支持して上側鉛直部材２の転倒防止を図るとともに、上側鉛直部材２をクレーンなどから外して鉄筋１０により上側鉛直部材２を垂直状態に自立させる。サポート材６０の下端は型枠５１に固定する。この状態で型枠５１上及び下側鉛直部材１の上端面５と上側鉛直部材２の下端面９との間に生コンクリートを打設し、生コンクリートを固化させて２階の床スラブコンクリート１００を形成したらサポート材６０及び型枠５１を取り外す。以上により形成された２階の床スラブコンクリート１００により、図１に示すように、対向した下側鉛直部材１の上端面５と上側鉛直部材２の下端面９とが鉄筋６；１０とともに接合される。３階以上も同様に施工する。尚、床スラブコンクリート１００の上面１０１は上側鉛直部材２の下端面９よりも上の位置に設定する。これにより、上側鉛直部材２の下端面９と下端面９に近い側面が床スラブコンクリート１００に埋め込まれるので、上側鉛直部材２が床スラブコンクリート１００に強固に接合される。また、脱型する型枠５１を用いる代わりに、脱型しないハーフＰＣ版を用いても良く、ハーフＰＣ版を用いれば、型枠作業を簡易化できる。また、鉄筋６を梁部４の延長する方向に沿って所定の間隔毎に設けられた１本１本の鉄筋で形成し、鉄筋１０を上側鉛直部材２の壁面７ａに沿う方向において所定の間隔毎に設けられた１本１本の鉄筋で形成してもよい。
【００１２】
本形態によれば、上端側に上端面５より上方に突出する鉄筋６を備えた下側鉛直部材１と、下端側に下端面９より下方に突出する鉄筋１０を備えた上側鉛直部材２とを用い、床スラブコンクリート１００により、下側鉛直部材１と上側鉛直部材２とを接合したので、下側鉛直部材１と上側鉛直部材２との接合を、上側鉛直部材２にスリーブ２２を用いたり、スリーブ２２の埋め込み用の凹部２３及びスリーブ２２内にモルタルを充填するための打設口４４を形成したりせずに実現でき、部品コスト等の面で経済的に有利となる。
また、対向した下側鉛直部材１の上端面５と上側鉛直部材２の下端面９とを鉄筋６；１０とともに面積の広い床スラブコンクリート１００で接合したので、下側鉛直部材１と上側鉛直部材２との接合強度を高くできる。
また、上側鉛直部材２の下端面９より突出する鉄筋１０が、壁部７の両側の壁面７ａ；７ａ側の下端面９より突出する脚部１８；１８の下端を橋絡する下辺部１９を備え、また、上側鉛直部材２の壁面７ａに沿う方向において所定の間隔毎に設けられて構成され、そして、下側鉛直部材１の上端面５に支持されて上側鉛直部材２を垂直状態に支持する。すなわち、上側鉛直部材２の下端面９より突出する鉄筋１０の下辺部１９が、下側鉛直部材１の上端面５に支持されて上側鉛直部材２を垂直状態に支持可能な形態に形成されたことで、スリーブ２２を用いない構成においても上側鉛直部材２を垂直状態に自立させやすくなるとともに、上側鉛直部材２の下端面９より突出する鉄筋１０と下側鉛直部材１の上端面５より突出する鉄筋６とを上下方向で重ならせることができ、下側鉛直部材１と上側鉛直部材２との接合強度を高くできる。
【産業上の利用可能性】
【００１３】
本発明は、鉛直部材としてプレキャストコンクリート製の上下の柱の接合にも同様に適用できる。
【図面の簡単な説明】
【００１４】
【図１】本発明の最良形態による鉛直部材の接合構造を示す断面図。
【図２】本発明の最良形態による接合構造を形成する構成要素を分解して示した分解斜視図。
【図３】本発明の最良形態による鉛直部材の接合方法を示す図。
【符号の説明】
【００１５】
１  下側鉛直部材、２  上側鉛直部材、５  下側鉛直部材の上端面、
６  下側鉛直部材の上端面より突出する鉄筋、９  上側鉛直部材の下端面、
１０  上側鉛直部材の下端面より突出する鉄筋、
５４  床スラブコンクリート形成空間（コンクリート形成空間）、
１００  床スラブコンクリート（接合コンクリート）。
【図１】
2006070499.tif 000003
【図２】
2006070499.tif 000004
【図３】
2006070499.tif 000005